(57)【要約】    【課題】  被圧縮流体を有効に圧縮する。    【解決手段】  ケーシング１にステータ２を固定し、ケーシング１に回転軸７を回転可能に支持し、回転軸７にロータ８を固定し、回転軸７に旋回軸１１を偏心して回転可能に支持し、旋回軸１１の端部に旋回板１２を固定し、軸受支え４と旋回板１２との間に３個のピンクランク１４を設け、ケーシング１に固定スクロール２０を固定し、旋回軸１１の端部に筒状体３０を固定し、旋回スクロール２１に筒状体３１を固定し、筒状体３１と筒状体３０とを係合し、筒状体３０と筒状体３１とによって圧力室を形成し、圧力室内に旋回軸１１と旋回スクロール２１とを旋回軸１１の中心軸方向に相対的に移動可能に連結する連結手段を設ける。【選択図】        図１
2006022775.tif 000002
【特許請求の範囲】
【請求項１】
ケーシングと、上記ケーシングに固定されたステータと、上記ケーシングに回転可能に支持された回転軸と、上記回転軸に固定されたロータと、上記回転軸に偏心して回転可能に支持され旋回軸と、上記旋回軸の偏心旋回を許容しかつ上記旋回軸の自転を防止する自転防止手段と、上記旋回軸に固定された第１の筒状体と、上記旋回軸と被駆動部材とを上記旋回軸の中心軸方向に相対的に移動可能に連結する連結手段の旋回軸側部材とを具備したことを特徴とする偏心旋回駆動装置。
【請求項２】
ケーシングと、上記ケーシングに固定された固定スクロールと、上記ケーシングに固定されたステータと、上記ケーシングに回転可能に支持された回転軸と、上記回転軸に固定されたロータと、上記回転軸に偏心して回転可能に支持された旋回軸と、旋回スクロールと、上記旋回軸の偏心旋回を許容しかつ上記旋回軸の自転を防止する自転防止手段と、上記旋回軸に固定された第１の筒状体と、上記旋回スクロールに固定されかつ上記第１の筒状体と係合した第２の筒状体と、上記旋回軸と上記旋回スクロールとを上記旋回軸の中心軸方向に相対的に移動可能に連結する連結手段とを具備したことを特徴とするスクロール流体機械。
【請求項３】
上記第１、第２の筒状体によって形成された圧力室と上記旋回スクロールと上記固定スクロールとの間に形成された圧縮室とを連通したことを特徴とする請求項２に記載のスクロール流体機械。
【請求項４】
上記旋回軸と上記旋回スクロールとの間に弾性材を設けたことを特徴とする請求項２または３に記載のスクロール流体機械。
【発明の詳細な説明】
【技術分野】
【０００１】
本発明は旋回軸が所定の軸を中心に偏心旋回しかつ自転しない偏心旋回駆動を行なう偏心旋回駆動装置、偏心旋回駆動装置によりスクロール流体機械本体が駆動されるスクロール流体機械に関するものである。
【背景技術】
【０００２】
従来のスクロール流体機械においては、特許文献１に示されるように、ケーシングと、ケーシングに固定された固定スクロールと、ケーシングに固定されたステータと、ケーシングに回転可能に支持された回転軸と、回転軸に固定されたロータと、回転軸に偏心して回転可能に支持された旋回軸と、旋回軸に設けられた旋回スクロールと、旋回軸の偏心旋回を許容しかつ旋回軸の自転を防止する自転防止手段とを設けている。
【０００３】
【特許文献１】特開２００１−３０４１４３号公報
【発明の開示】
【発明が解決しようとする課題】
【０００４】
しかし、このようなスクロール流体機械においては、固定スクロールと旋回スクロールとの間に形成された圧縮室から被圧縮ガスが漏れて、被圧縮ガスを有効に圧縮することができない。
【０００５】
本発明は上述の課題を解決するためになされたもので、被駆動装置の被駆動部材を外方に押すことができる偏心旋回駆動装置を提供すること、被圧縮流体を有効に圧縮することができるスクロール流体機械を提供することを目的とする。
【課題を解決するための手段】
【０００６】
この目的を達成するため、本発明においては、偏心旋回駆動装置において、ケーシングと、上記ケーシングに固定されたステータと、上記ケーシングに回転可能に支持された回転軸と、上記回転軸に固定されたロータと、上記回転軸に偏心して回転可能に支持され旋回軸と、上記旋回軸の偏心旋回を許容しかつ上記旋回軸の自転を防止する自転防止手段と、上記旋回軸に固定された第１の筒状体と、上記旋回軸と被駆動部材とを上記旋回軸の中心軸方向に相対的に移動可能に連結する連結手段の旋回軸側部材とを設ける。
【０００７】
また、スクロール流体機械において、ケーシングと、上記ケーシングに固定された固定スクロールと、上記ケーシングに固定されたステータと、上記ケーシングに回転可能に支持された回転軸と、上記回転軸に固定されたロータと、上記回転軸に偏心して回転可能に支持された旋回軸と、旋回スクロールと、上記旋回軸の偏心旋回を許容しかつ上記旋回軸の自転を防止する自転防止手段と、上記旋回軸に固定された第１の筒状体と、上記旋回スクロールに固定されかつ上記第１の筒状体と係合した第２の筒状体と、上記旋回軸と上記旋回スクロールとを上記旋回軸の中心軸方向に相対的に移動可能に連結する連結手段とを設ける。
【０００８】
この場合、上記第１、第２の筒状体によって形成された圧力室と上記旋回スクロールと上記固定スクロールとの間に形成された圧縮室とを連通してもよい。
【０００９】
これらの場合、上記旋回軸と上記旋回スクロールとの間に弾性材を設けてもよい。
【発明の効果】
【００１０】
本発明に係る偏心旋回駆動装置においては、連結手段により旋回軸に第２の筒状体を有する被駆動装置の被駆動部材を連結すれば、被駆動装置の被駆動部材を外方に押すことができる。
【００１１】
また、本発明に係るスクロール流体機械においては、第１、第２の筒状体によって形成された圧力室内の圧力を大気圧よりも高くすると、旋回スクロールが固定スクロール側に押されるから、圧縮室から被圧縮ガスが漏れることがないので、被圧縮ガスを有効に圧縮することができる。
【００１２】
また、第１、第２の筒状体によって形成された圧力室と旋回スクロールと固定スクロールとの間に形成された圧縮室とを連通したときには、圧縮室内の圧力の上昇に伴って徐々に強い力で旋回スクロールが固定スクロール側に押されるから、圧縮室から被圧縮ガスが漏れることがないので、被圧縮ガスを有効に圧縮することができる。
【００１３】
また、旋回軸と旋回スクロールとの間に弾性材を設けたときには、圧縮室から被圧縮ガスが漏れるのを確実に防止することができるから、被圧縮ガスをさらに有効に圧縮することができる。
【発明を実施するための最良の形態】
【００１４】
図１は本発明に係る偏心旋回駆動装置を有するスクロール流体機械を示す概略断面図、図２は図１のＡ−Ａ拡大断面図、図３は図１に示したスクロール流体機械の一部を示す拡大断面図、図４は図３のＢ−Ｂ断面図である。図に示すように、ケーシング１にステータ２が固定され、ケーシング１に軸受支え３、４が固定され、軸受支え３、４に軸受５、６を介して回転軸７が回転可能に支持されている。すなわち、ケーシング１に回転軸７が回転可能に支持されている。また、回転軸７にロータ８が固定され、ステータ２、ロータ８等によりモータが構成されている。また、回転軸７に軸受９、１０を介して旋回軸１１が回転可能に支持され、回転軸７の中心線と旋回軸１１の中心線とは偏っている。すなわち、旋回軸１１は回転軸７に偏心して回転可能に支持されている。また、旋回軸１１の一方端部すなわち旋回スクロール２１（説明後述）が取り付けられる端部とは反対側の端部に旋回板１２が固定され、軸受支え４（ケーシング１）と旋回板１２との間に３個のピンクランク１４が設けられている。このピンクランク１４のクランク本体２６には軸２７、２８が設けられ、軸２７の中心線と軸２８の中心線とは偏心しており、この偏心量は回転軸７の中心線と旋回軸１１の中心線との偏心量と等しい。また、ピンクランク１４の軸２７は軸受支え４に軸受（図示せず）を介して回転可能に支持され、ピンクランク１４の軸２８は旋回板１２に軸受（図示せず）を介して回転可能に支持されている。そして、旋回板１２、ピンクランク１４等により旋回軸１１の偏心旋回を許容しかつ旋回軸１１の自転を防止する自転防止手段が構成されている。また、旋回軸１１に軸受１６を介して回転可能に錘板体１５が支持され、回転軸７の一方端面にピン１７が取り付けられ、錘板体１５に係合溝１８が設けられ、ピン１７が係合溝１８に挿入され、ピン１７と係合溝１８との間にはわずかな隙間が設けられており、錘板体１５は回転軸７に対して回転軸７の中心線と旋回軸１１の中心線とを結ぶ線の方向に移動可能であって、回転軸７の中心線と旋回軸１１の中心線とを結ぶ線上にピン１７の中心線、錘板体１５の重心が位置しており、錘板体１５、ピン１７等により旋回軸１１の振動を抑制する振動抑制手段が構成されている。そして、回転軸７の中心線から錘板体１５の重心までの距離と錘板体１５の重量との積を大きさとしかつ回転軸７の中心線から錘板体１５の重心までの方向を方向とするベクトルを錘板体１５の回転軸に直角なモーメントベクトル、回転軸７の中心線から旋回スクロール２１の重心までの距離と旋回スクロール２１の重量との積を大きさとしかつ回転軸７の中心線から旋回スクロール２１の重心までの方向を方向とするベクトルを旋回スクロール２１の回転軸に直角なモーメントベクトル、回転軸７の中心線から旋回板１２の重心までの距離と旋回板１２の重量との積を大きさとしかつ回転軸７の中心線から旋回板１２の重心までの方向を方向とするベクトルを旋回板１２の回転軸に直角なモーメントベクトルとすると、錘板体１５の回転軸に直角なモーメントベクトル、旋回スクロール２１の回転軸に直角なモーメントベクトルおよび旋回板１２の回転軸に直角なモーメントベクトルの和は零ベクトルである。また、ケーシング１、モータ、回転軸７、旋回軸１１、自転防止手段等により偏心旋回駆動装置が構成されている。また、ケーシング１に固定スクロール２０が固定され、固定スクロール２０には渦巻状のラップが設けられている。また、旋回軸１１の他方端部に第１の筒状体３０が固定され、筒状体３０は底部３０ａを有しており、底部３０ａが旋回軸１１に固定されており、筒状体３０は旋回スクロール２１側に開口している。また、旋回スクロール２１に第２の筒状体３１が固定され、筒状体３１は筒状体３０と係合しており、筒状体３０と筒状体３１との間にはＯリング３２が設けられ、筒状体３０と筒状体３１とは旋回軸１１の中心線の方向に相対的に移動可能であり、筒状体３０と筒状体３１とによって圧力室３３が形成されている。また、旋回軸１１の端面に第１の突出部３４が設けられ、旋回スクロール２１に第２の吐出部３５が設けられ、突出部３５の断面形状（図３紙面左右方向線で切断した断面形状）は突出部３４の断面形状（図３紙面左右方向線で切断した断面形状）と同一であり、突出部３５の中心線と突起部３４の中心線とは一致している。また、突出部３４、３５に四角筒状の連結筒状体３６が係合しており、突出部３４、３５は旋回軸１１の中心線の方向に相対的に移動可能である。そして、突出部３４、３５と連結筒状体３６とで、旋回軸１１と旋回スクロール２１とを旋回軸１１の中心軸方向に相対的に移動可能に連結し、かつ旋回軸１１と旋回スクロール２１とを相対的に回転不能に連結する連結手段が構成されており、また突出部３４は連結手段の旋回軸側部材を構成しており、突出部３５は連結手段の被駆動部材側部材を構成している。また、旋回スクロール２１には固定スクロール２０のラップと同一形状のラップが設けられ、旋回スクロール２１のラップと固定スクロール２０のラップとが重なり合っており、固定スクロール２０と旋回スクロール２１との間に複数の圧縮室３８が形成され、固定スクロール２０に吸入管２２が設けられ、固定スクロール２０に吐出管２３が設けられ、吸入管２２、吐出管２３は圧縮室３８に連通している。そして、固定スクロール２０、旋回スクロール２１等により偏心旋回駆動装置により駆動されるスクロール流体機械本体が構成されている。
【００１５】
図１〜図４に示した偏心旋回駆動装置を有するスクロール流体機械においては、ステータ２の巻線に通電すると、ロータ８、回転軸７が回転し、旋回軸１１は回転軸７の中心線を中心として偏心旋回するが、ピンクランク１４等からなる自転防止手段が設けられているから、旋回軸１１は自転しない。このため、旋回軸１１、旋回スクロール２１がケーシング１、固定スクロール２０に対して回転せずに偏心旋回するから、旋回スクロール２１と固定スクロール２０との間に形成された圧縮室３８が徐々に縮小する。したがって、空気等の被圧縮ガスは吸入管２２から吸引され、圧縮室３８で圧縮されて吐出管２３から吐出される。また、回転軸７の回転角度にかかわらず、旋回軸１１の中心線と錘板体１５の重心とは回転軸７の中心線の両側に位置する。
【００１６】
このような偏心旋回駆動装置、スクロール流体機械においては、圧力室３３内の圧力を大気圧よりも高くすると、旋回スクロール２１が旋回軸１１、ケーシング１に対して固定スクロール２側に押されるので、圧縮室３８から被圧縮ガスが漏れることがないため、被圧縮ガスを有効に圧縮することができ、さらにチップシールを使用しないことが可能であり、またチップシールを使用したときにはチップシールの寿命を長くすることができる。また、旋回軸１１の中心線と錘板体１５の重心とは回転軸７の中心線の両側に位置するから、旋回軸１１の振動を抑制することができるので、旋回スクロール２１の振動を抑制することができる。このため、回転軸７の回転数を大きくすることができるから、スクロール流体機械本体を小型化することができる。また、錘板体１５の回転軸に直角なモーメントベクトル、旋回スクロール２１の回転軸に直角なモーメントベクトルおよび旋回板１２の回転軸に直角なモーメントベクトルの和を零としているから、すなわち旋回スクロール２１の回転軸に直角なモーメントベクトルおよび旋回板１２の回転軸に直角なモーメントベクトルの和を和ベクトルとしたとき、錘板体１５の回転軸に直角なモーメントベクトルの大きさを和ベクトルの大きさと等しくしかつ錘板体１５の回転軸に直角なモーメントベクトルの方向を和ベクトルの方向と反対方向としているから、旋回軸１１の振動を確実に抑制することができるので、旋回スクロール２１の振動を確実に抑制することができる。また、自転防止手段としてピンクランク１４を有するものを用いているから、旋回軸１１の振動を小さくすることができるので、旋回スクロール２１の振動を小さくすることができる。
【００１７】
図５は本発明に係る他の偏心旋回駆動装置を有するスクロール流体機械の一部を示す断面図である。図に示すように、突出部３４と突出部３５との間にバネ３７が設けられている。すなわち、圧力室３３内の旋回軸１１と旋回スクロール２１との間にバネ３７が設けられている。
【００１８】
このような偏心旋回駆動装置、スクロール流体機械においては、圧力室３３内の圧力を大気圧よりも高くすると、旋回スクロール２１が旋回軸１１、ケーシング１に対して固定スクロール２側に押され、しかも突出部３４と突出部３５との間にバネ３７を設けているから、旋回スクロール２１が旋回軸１１、ケーシング１に対して固定スクロール２側にさらに押されるので、圧縮室３８から被圧縮ガスが漏れるのを確実に防止することができるため、被圧縮ガスをさらに有効に圧縮することができる。
【００１９】
図６は本発明に係る他の偏心旋回駆動装置を有するスクロール流体機械の一部を示す断面図である。図に示すように、旋回スクロール２１に連通孔３９が設けられ、連通孔３９により圧力室３３と圧縮室３８とが連通されている。
【００２０】
このような偏心旋回駆動装置、スクロール流体機械においては、圧力室３３と圧縮室３８とが連通されているから、圧縮室３８内の圧力（中間圧）の上昇に伴って徐々に強い力で旋回スクロール２１が旋回軸１１、ケーシング１に対して固定スクロール２０側に押されるので、圧縮室３８から被圧縮ガスが漏れることがないため、被圧縮ガスを有効に圧縮することができる。
【００２１】
図７は本発明に係る他の偏心旋回駆動装置を有するスクロール流体機械の一部を示す断面図である。図に示すように、旋回スクロール２１に連通孔３９が設けられ、連通孔３９により圧力室３３と圧縮室３８とが連通され、また突出部３４と突出部３５との間にバネ３７が設けられている。
【００２２】
このような偏心旋回駆動装置、スクロール流体機械においては、圧力室３３と圧縮室３８とが連通されているから、圧縮室３８内の圧力の上昇に伴って徐々に強い力で旋回スクロール２１が旋回軸１１、ケーシング１に対して固定スクロール２０側に押されるので、圧縮室３８から被圧縮ガスが漏れることがないため、被圧縮ガスを有効に圧縮することができる。また、突出部３４と突出部３５との間にバネ３７が設けられているから、圧縮室３８内の圧力が上昇するまでの間にも旋回スクロール２１が旋回軸１１、ケーシング１に対して固定スクロール２０側に押されるので、圧縮室３８から被圧縮ガスが漏れるのを確実に防止することができるため、被圧縮ガスをさらに有効に圧縮することができる。
【００２３】
図８は本発明に係る他の偏心旋回駆動装置を有するスクロール流体機械の一部を示す断面図、図９は図８のＣ−Ｃ断面図である。図に示すように、旋回軸１１に凹状体４０が固定され、旋回スクロール２１に凸状体４１が固定され、凸状体４１が凹状体４０内に挿入されており、凹状体４０と凸状体４１とで、旋回軸１１と旋回スクロール２１とを旋回軸１１の中心軸方向に相対的に移動可能に連結し、かつ旋回軸１１と旋回スクロール２１とを相対的に回転不能に連結する連結手段が構成されており、また凹状体４０は連結手段の旋回軸側部材を構成しており、凸状体４１は連結手段の被駆動部材側部材を構成している。また、凹状体４０と凸状体４１との間にバネ４２が設けられている。すなわち、圧力室３３内の旋回軸１１と旋回スクロール２１との間にバネ４２が設けられている。
【００２４】
このような偏心旋回駆動装置、スクロール流体機械においては、圧力室３３と圧縮室３８とが連通されているから、圧縮室３８内の圧力の上昇に伴って徐々に強い力で旋回スクロール２１が旋回軸１１、ケーシング１に対して固定スクロール２０側に押されるので、圧縮室３８から被圧縮ガスが漏れることがないため、被圧縮ガスを有効に圧縮することができる。また、凹状体４０と凸状体４１との間にバネ４２が設けられているから、圧縮室３８内の圧力が上昇するまでの間にも旋回スクロール２１が旋回軸１１、ケーシング１に対して固定スクロール２０側に押されるので、圧縮室３８から被圧縮ガスが漏れるのを確実に防止することができるため、被圧縮ガスをさらに有効に圧縮することができる。
【００２５】
図１０は本発明に係る他の偏心旋回駆動装置を有するスクロール流体機械の一部を示す断面図である。図に示すように、旋回スクロール２１に断面が円形でかつ径が旋回軸１１の径と等しい突出部５０が設けられ、旋回軸１１の旋回スクロール２１側の端面に直線状（畦状）の凸部５１が設けられ、突出部５０に凸部５１と係合する凹部５２が設けられ、旋回軸１１の端部、突出部５０に円筒状の連結筒状体５３が係合しており、突出部５０は旋回軸１１に対して旋回軸１１の中心線の方向に相対的に移動可能である。そして、凹部５２を有する突出部５０と凸部５１と連結筒状体５３とで、旋回軸１１と旋回スクロール２１とを旋回軸１１の中心軸方向に相対的に移動可能に連結しかつ旋回軸１１と旋回スクロール２１とを相対的に回転不能に連結する連結手段が構成されており、また凸部５１は連結手段の旋回軸側部材を構成しており、凹部５２を有する突出部５０は連結手段の被駆動部材側部材を構成している。
【００２６】
このような偏心旋回駆動装置、スクロール流体機械においては、圧力室３３内の圧力を大気圧よりも高くすると、旋回スクロール２１が旋回軸１１、ケーシング１に対して固定スクロール２側に押されるから、旋回スクロール２１が旋回軸１１、ケーシング１に対して固定スクロール２側に押されるので、圧縮室３８から被圧縮ガスが漏れるのを確実に防止することができるため、被圧縮ガスをさらに有効に圧縮することができる。
【００２７】
図１１は本発明に係る他の偏心旋回駆動装置を有するスクロール流体機械の一部を示す断面図である。図に示すように、旋回軸１１の端部に円筒状の連結筒状部５４が設けられ、連結筒状部５４が突出部５０に係合しており、突出部５０は旋回軸１１に対して旋回軸１１の中心線の方向に相対的に移動可能である。そして、凹部５２を有する突出部５０と凸部５１と連結筒状部５４とで、旋回軸１１と旋回スクロール２１とを旋回軸１１の中心軸方向に相対的に移動可能に連結しかつ旋回軸１１と旋回スクロール２１とを相対的に回転不能に連結する連結手段が構成されており、また凸部５１、連結筒状部５４は連結手段の旋回軸側部材を構成しており、凹部５２を有する突出部５０は連結手段の被駆動部材側部材を構成している。
【００２８】
図１２は本発明に係る他の偏心旋回駆動装置を有するスクロール流体機械の一部を示す断面図である。図に示すように、突出部５０の端部に円筒状の連結筒状部５５が設けられ、連結筒状部５５が旋回軸１１の端部に係合しており、突出部５０は旋回軸１１に対して旋回軸１１の中心線の方向に相対的に移動可能である。そして、凹部５２を有する突出部５０と凸部５１と連結筒状部５５とで、旋回軸１１と旋回スクロール２１とを旋回軸１１の中心軸方向に相対的に移動可能に連結しかつ旋回軸１１と旋回スクロール２１とを相対的に回転不能に連結する連結手段が構成されており、また凸部５１は連結手段の旋回軸側部材を構成しており、凹部５２、連結筒状部５５を有する突出部５０は連結手段の被駆動部材側部材を構成している。
【００２９】
なお、本発明は以上の実施の形態に限定されるものではなく、以上の実施の形態のいずれかを組み合わせてもよい。
【００３０】
また、上述実施の形態においては、偏心旋回駆動装置の被駆動部材がスクロール流体機械本体の旋回スクロール２１である場合について説明したが、被駆動部材が他の被駆動部材である場合にも本発明の偏心旋回駆動装置を使用することができ、この場合には被駆動部材を外方にすなわちケーシング１の外側に押すことができる。また、上述実施の形態においては、錘板体１５に係合溝１８を設けたが、錘板体に取り付けられたピンが係合すべき係合溝を回転軸に設けてもよい。この場合、ピンと係合溝との間にわずかな隙間を設け、錘板体を回転軸に対して回転軸の中心線と旋回軸の中心線とを結ぶ線の方向に移動可能にして、錘板体の回転軸に対する回転軸の中心線と旋回軸の中心線とを結ぶ線の方向の移動を許容するようにする。また、上述実施の形態においては、旋回板１２、ピンクランク１４等により構成された自転防止手段を用いたが、他の自転防止手段を用いてもよい。また、上述実施の形態においては、弾性材としてバネ３７、４２を用いたが、弾性材としてゴム状弾性材、板バネ等のバネ、クッションゲル（cushion gel）等を用いてもよい。また、上述実施の形態においては、旋回軸１１の端面に凸部５１を設け、突出部５０に凹部５２を設けたが、旋回軸の端面に凹部を設け、突出部に凸部を設けてもよい。
【図面の簡単な説明】
【００３１】
【図１】本発明に係る偏心旋回駆動装置を有するスクロール流体機械を示す概略断面図である。
【図２】図１のＡ−Ａ拡大断面図である。
【図３】図１に示したスクロール流体機械の一部を示す拡大断面図である。
【図４】図３のＢ−Ｂ断面図である。
【図５】本発明に係る他の偏心旋回駆動装置を有するスクロール流体機械の一部を示す断面図である。
【図６】本発明に係る他の偏心旋回駆動装置を有するスクロール流体機械の一部を示す断面図である。
【図７】本発明に係る他の偏心旋回駆動装置を有するスクロール流体機械の一部を示す断面図である。
【図８】本発明に係る他の偏心旋回駆動装置を有するスクロール流体機械の一部を示す断面図である。
【図９】図８のＣ−Ｃ断面図である。
【図１０】本発明に係る他の偏心旋回駆動装置を有するスクロール流体機械の一部を示す断面図である。
【図１１】本発明に係る他の偏心旋回駆動装置を有するスクロール流体機械の一部を示す断面図である。
【図１２】本発明に係る他の偏心旋回駆動装置を有するスクロール流体機械の一部を示す断面図である。
【符号の説明】
【００３２】
１…ケーシング
２…ステータ
７…回転軸
８…ロータ
１１…旋回軸
１２…旋回板
１４…ピンクランク
２０…固定スクロール
２１…旋回スクロール
３０…第１の筒状体
３１…第２の筒状体
３３…圧力室
３４…第１の突出部
３５…第２の突出部
３６…連結筒状体
３７…バネ
３８…圧縮室
３９…連通孔
４０…凹状体
４１…凸状体
４２…バネ
５０…突出部
５１…凸部
５２…凹部
５３…連結筒状体
５４…連結筒状部
５５…連結筒状部
【図１】
2006022775.tif 000003
【図２】
2006022775.tif 000004
【図３】
2006022775.tif 000005
【図４】
2006022775.tif 000006
【図５】
2006022775.tif 000007
【図６】
2006022775.tif 000008
【図７】
2006022775.tif 000009
【図８】
2006022775.tif 000010
【図９】
2006022775.tif 000011
【図１０】
2006022775.tif 000012
【図１１】
2006022775.tif 000013
【図１２】
2006022775.tif 000014